【手続補正書】
【提出日】平成15年8月12日(2003.8.12)
【手続補正１】
【補正対象書類名】明細書
【補正対象項目名】特許請求の範囲
【補正方法】変更
【補正の内容】
【特許請求の範囲】
【請求項１】
複数種類の媒体の挿入及び放出を行う複数の媒体挿入放出口と、
利用者に対して操作案内画面を表示する表示部とを有し、
この表示部に表示される操作案内画面に従い、かつ利用者により前記媒体挿入放出口に挿入される媒体に基いて、利用者により指示された取引を自動的に行う自動取引装置において、
前記表示部に当該自動取引装置を表す画像を表示する第一の表示制御手段と、
前記第一の表示制御手段にて表示された当該自動取引装置を表す画像中に、取引の内容に応じて、所定の媒体が当該自動取引装置の所定の媒体挿入放出口に挿入される状態又は所定の媒体が当該自動取引装置の所定の媒体挿入放出口から放出される状態を表す画像を表示する第二の表示制御手段と、
を備えたことを特徴とする自動取引装置。
【請求項２】
前記第二の表示制御手段は、所定の媒体を表す画像の動く方向によって、利用者に対して、前記媒体挿入放出口に所定の媒体を挿入すること又は前記媒体挿入放出口から所定の媒体が放出されることを示すことを特徴とする請求項１に記載の自動取引装置。
【請求項３】
前記第二の表示制御手段は、所定の媒体が前記媒体挿入口に挿入された際、又は所定の媒体が前記媒体挿入口から抜き取られた際に、前記表示部から所定の媒体を表す画像を消去することを特徴とする請求項１に記載の自動取引装置。
【請求項４】
複数種類の媒体の挿入を行う複数の媒体挿入口と、
利用者に対して操作案内画面を表示する表示部とを有し、
この表示部に表示される操作案内画面に従い、かつ利用者により前記媒体挿入口に挿入される媒体に基いて、利用者により指示された取引を自動的に行う自動取引装置において、
前記表示部に当該自動取引装置を表す画像を表示する第一の表示制御手段と、
前記第一の表示制御手段にて表示された当該自動取引装置を表す画像中に、取引の内容に応じて、所定の媒体が当該自動取引装置の所定の媒体挿入口に挿入される状態を、当該所定の媒体を表す画像の動く方向によって表示する第二の表示制御手段と、
を備えたことを特徴とする自動取引装置。
【請求項５】
複数種類の媒体の放出を行う複数の媒体放出口と、
利用者に対して操作案内画面を表示する表示部とを有し、
この表示部に表示される操作案内画面に従い、利用者により指示された取引を自動的に行う自動取引装置において、
前記表示部に当該自動取引装置を表す画像を表示する第一の表示制御手段と、
前記第一の表示制御手段にて表示された当該自動取引装置を表す画像中に、取引の内容に応じて、所定の媒体が当該自動取引装置の所定の媒体放出口から放出される状態を、当該所定の媒体を表す画像の動く方向によって表示する第二の表示制御手段と、
を備えたことを特徴とする自動取引装置。
【請求項６】
複数種類の媒体の挿入及び放出を行う複数の媒体挿入放出口と、
利用者に対して操作案内画面を表示する表示部とを有し、
この表示部に表示される操作案内画面に従い、かつ利用者により前記媒体挿入放出口より挿入される媒体に基いて、利用者により指示された取引を自動的に行う自動取引装置において、
前記表示部に当該自動取引装置を表す画像を表示する第一の表示制御手段と、
利用者に対して複数の媒体の受け取りを指示する場合、前記第一の表示制御手段にて表示された当該自動取引装置の画像中の複数の媒体挿入放出口から複数の媒体が放出される状態を表す画像を表示する第二の表示制御手段と、
この第二の表示制御手段による表示内容に基いて、複数の媒体が順次抜き取られると、前記表示部から抜き取られた媒体を表す画像を順次消去する第三の表示制御手段と、
を備えたことを特徴とする自動取引装置。
【請求項７】
複数種類の媒体の挿入及び放出を行う複数の媒体挿入放出口と、利用者に対して操作案内画面を表示する表示部とを有し、この表示部に表示される操作案内画面に従い、かつ利用者により前記媒体挿入放出口に挿入される媒体に基いて、利用者により指示された取引を自動的に行う自動取引装置における操作画面表示方法において、
前記表示部に当該自動取引装置を表す画像を表示し、
かつ、前記表示部に表示された当該自動取引装置を表す画像中に、取引の内容に応じて、所定の媒体が当該自動取引装置の所定の媒体挿入放出口に挿入される状態又は所定の媒体が当該自動取引装置の所定の媒体挿入放出口から放出される状態を表す画像を表示することを特徴とする自動取引装置における操作画面表示方法。
【請求項８】
複数種類の媒体の挿入を行う複数の媒体挿入口と、利用者に対して操作案内画面を表示する表示部とを有し、この表示部に表示される操作案内画面に従い、かつ利用者により前記媒体挿入口に挿入される媒体に基いて、利用者により指示された取引を自動的に行う自動取引装置における操作画面表示方法において、
前記表示部に当該自動取引装置を表す画像を表示し、
かつ、前記表示部に表示された当該自動取引装置を表す画像中に、取引の内容に応じて、所定の媒体が当該自動取引装置の所定の媒体挿入口に挿入される状態を、当該所定の媒体を表す画像の動く方向によって表示することを特徴とする自動取引装置における操作画面表示方法。
【請求項９】
複数種類の媒体の放出を行う複数の媒体放出口と、利用者に対して操作案内画面を表示する表示部とを有し、この表示部に表示される操作案内画面に従い、利用者により指示された取引を自動的に行う自動取引装置における操作画面表示方法において、
前記表示部に当該自動取引装置を表す画像を表示し、
かつ、前記表示部に表示された当該自動取引装置を表す画像中に、取引の内容に応じて、所定の媒体が当該自動取引装置の所定の媒体放出口から放出される状態を、当該所定の媒体を表す画像の動く方向によって表示することを特徴とする自動取引装置における操作画面表示方法。
【請求項１０】
複数種類の媒体の挿入及び放出を行う複数の媒体挿入放出口と、利用者に対して操作案内画面を表示する表示部とを有し、この表示部に表示される操作案内画面に従い、かつ利用者により前記媒体挿入放出口に挿入される媒体に基いて、利用者により指示された取引を自動的に行う自動取引装置における操作画面表示方法において、
前記表示部に当該自動取引装置を表す画像を表示し、
かつ、利用者に対して複数の媒体の受取りを指示する場合、前記表示部に表示された当該自動取引装置の画像中の複数の媒体挿入放出口から複数の媒体が放出される状態を表す画像を表示し、
更に、前記表示部に表示された表示内容に基いて、利用者により複数の媒体が順次抜き取られると、前記表示部から抜き取られた媒体を表す画像を順次消去することを特徴とする自動取引装置における操作画面表示方法。
【請求項１１】
通帳を挿入する通帳挿入口と、カードを挿入するカード挿入口と、現金を入金する入金口と、利用者に対して操作案内画面を表示する表示部とを有する自動取引装置における操作画面表示方法において、
この表示部に表示される操作案内画面に従い、入金取引が選択された場合には、前記表示部に当該自動取引装置を表す画像を表示するとともに、当該自動取引装置を表す画像中の通帳挿入口に通帳が通帳挿入口に挿入される状態を表す画像、並びに画像中のカード挿入口にカードが挿入される状態を表す画像を表示し、
利用者により通帳又はカードの挿入が行われた後は、前記表示部に表示された当該自動取引装置の画像中の入金口に現金が入金される状態を表す画像を表示することを特徴とする自動取引装置における操作画面表示方法。
【請求項１２】
通帳を挿入する通帳挿入口と、カードを挿入するカード挿入口と、現金が出金される出金口と、利用者に対して操作案内画面を表示する表示部とを有する自動取引装置における操作画面表示方法において、
前記表示部に表示される操作案内画面に従い、出金取引が選択された場合には、前記表示部に当該自動取引装置を表す画像を表示するとともに、当該自動取引装置を表す画像中のカード挿入口にカードが挿入される状態を表す画像を表示し、
利用者によりカードの挿入が行われ、出金額の指定が行われて出金取引が実行された際には、前記表示部に表示された当該自動取引装置の画像中のカード挿入口からカードが放出される状態を表す画像を表示し、
次いで、前記表示部に表示された当該自動取引装置の画像中の出金口から現金が出金される画像を表示することを特徴とする自動取引装置における操作画面表示方法。
【請求項１３】
キャッシュカード並びに振込券を挿入するカード挿入口と、現金を入金する入金口と、利用者に対して操作案内画面を表示する表示部とを有する自動取引装置における操作画面表示方法において、
前記表示部に表示される操作案内画面に従い、キャッシュカードを使用して振込取引を行うことが選択された場合には、前記表示部に当該自動取引装置を表す画像を表示するとともに、当該自動取引装置を表す画像中のカード挿入口にキャッシュカードが挿入される状態を表す画像を表示し、
一方、前記表示部に表示される操作案内画面に従い、振込券を使用して振込取引を行うことが選択された場合には、前記表示部に当該自動取引装置を表す画像を表示するとともに、当該自動取引装置を表す画像中のカード挿入口に振込券が挿入される状態を表す画像を表示し、更に、振込券の挿入が行われた後は、前記表示部に表示された当該自動取引装置を表す画像中の入金口に現金が挿入される状態を表す画像を表示することを特徴とする自動取引装置における操作画面表示方法。
【請求項１４】
通帳を挿入する通帳挿入口と、この通帳挿入口に挿入された通帳に対して取引の内容を印字する印字部と、利用者に対して操作案内画面を表示する表示部とを有する自動取引装置における操作画面表示方法において、
前記表示部に表示される操作案内画面に従い、通帳記入取引が選択された場合には、前記表示部に当該自動取引装置を表す画像を表示するとともに、当該自動取引装置を表す画像中の通帳挿入口に通帳が挿入される状態を表す画像を表示し、
前記印字部による通帳記入処理終了後は、前記表示部に表示された当該自動取引装置の画像中の通帳挿入口から通帳が放出される状態を表す画像を表示することを特徴とする自動取引装置における操作画面表示方法。
【手続補正２】
【補正対象書類名】明細書
【補正対象項目名】０００８
【補正方法】変更
【補正の内容】
【０００８】
【課題を解決するための手段】
請求項１に係るこの発明の自動取引装置は、複数種類の媒体の挿入及び放出を行う複数の媒体挿入放出口と、利用者に対して操作案内画面を表示する表示部とを有し、この表示部に表示される操作案内画面に従い、かつ利用者により前記媒体挿入放出口に挿入される媒体に基いて、利用者により指示された取引を自動的に行う自動取引装置において、
前記表示部に当該自動取引装置を表す画像を表示する第一の表示制御手段と、
前記第一の表示制御手段にて表示された当該自動取引装置を表す画像中に、取引の内容に応じて、所定の媒体が当該自動取引装置の所定の媒体挿入放出口に挿入される状態又は所定の媒体が当該自動取引装置の所定の媒体挿入放出口から放出される状態を表す画像を表示する第二の表示制御手段と、を備えたことを特徴とする。


【手続補正３】
【補正対象書類名】明細書
【補正対象項目名】０００９
【補正方法】変更
【補正の内容】
【０００９】
請求項２に係るこの発明の自動取引装置は、請求項１に記載の自動取引装置において、前記第二の表示制御手段は、所定の媒体を表す画像の動く方向によって、利用者に対して、前記媒体挿入放出口に所定の媒体を挿入すること又は前記媒体挿入放出口から所定の媒体が放出されることを示すことを特徴とする。


【手続補正４】
【補正対象書類名】明細書
【補正対象項目名】００１１
【補正方法】変更
【補正の内容】
【００１１】
請求項４に係るこの発明の自動取引装置は、複数種類の媒体の挿入を行う複数の媒体挿入口と、利用者に対して操作案内画面を表示する表示部とを有し、この表示部に表示される操作案内画面に従い、かつ利用者により前記媒体挿入口に挿入される媒体に基いて、利用者により指示された取引を自動的に行う自動取引装置において、
前記表示部に当該自動取引装置を表す画像を表示する第一の表示制御手段と、
前記第一の表示制御手段にて表示された当該自動取引装置を表す画像中に、取引の内容に応じて、所定の媒体が当該自動取引装置の所定の媒体挿入口に挿入される状態を、当該所定の媒体を表す画像の動く方向によって表示する第二の表示制御手段と、を備えたことを特徴とする。


【手続補正５】
【補正対象書類名】明細書
【補正対象項目名】００１２
【補正方法】変更
【補正の内容】
【００１２】
請求項５に係るこの発明の自動取引装置は、複数種類の媒体の放出を行う複数の媒体放出口と、利用者に対して操作案内画面を表示する表示部とを有し、この表示部に表示される操作案内画面に従い、利用者により指示された取引を自動的に行う自動取引装置において、
前記表示部に当該自動取引装置を表す画像を表示する第一の表示制御手段と、
前記第一の表示制御手段にて表示された当該自動取引装置を表す画像中に、取引の内容に応じて、所定の媒体が当該自動取引装置の所定の媒体放出口から放出される状態を、当該所定の媒体を表す画像の動く方向によって表示する第二の表示制御手段と、を備えたことを特徴とする。


【手続補正６】
【補正対象書類名】明細書
【補正対象項目名】００１３
【補正方法】変更
【補正の内容】
【００１３】
請求項６に係るこの発明の自動取引装置は、複数種類の媒体の挿入及び放出を行う複数の媒体挿入放出口と、利用者に対して操作案内画面を表示する表示部とを有し、この表示部に表示される操作案内画面に従い、かつ利用者により前記媒体挿入放出口より挿入される媒体に基いて、利用者により指示された取引を自動的に行う自動取引装置において、
前記表示部に当該自動取引装置を表す画像を表示する第一の表示制御手段と、
利用者に対して複数の媒体の受け取りを指示する場合、前記第一の表示制御手段にて表示された当該自動取引装置の画像中の複数の媒体挿入放出口から複数の媒体が放出される状態を表す画像を表示する第二の表示制御手段と、
この第二の表示制御手段による表示内容に基いて、複数の媒体が順次抜き取られると、前記表示部から抜き取られた媒体を表す画像を順次消去する第三の表示制御手段と、を備えたことを特徴とする。


【手続補正７】
【補正対象書類名】明細書
【補正対象項目名】００１７
【補正方法】変更
【補正の内容】
【００１７】
請求項１０に係るこの発明の自動取引装置における操作画面表示方法は、複数種類の媒体の挿入及び放出を行う複数の媒体挿入放出口と、利用者に対して操作案内画面を表示する表示部とを有し、この表示部に表示される操作案内画面に従い、かつ利用者により前記媒体挿入放出口に挿入される媒体に基いて、利用者により指示された取引を自動的に行う自動取引装置における操作画面表示方法において、
前記表示部に当該自動取引装置を表す画像を表示し、
かつ、利用者に対して複数の媒体の受取りを指示する場合、前記表示部に表示された当該自動取引装置の画像中の複数の媒体挿入放出口から複数の媒体が放出される状態を表す画像を表示し、
更に、前記表示部に表示された表示内容に基いて、利用者により複数の媒体が順次抜き取られると、前記表示部から抜き取られた媒体を表す画像を順次消去することを特徴とする。


【手続補正８】
【補正対象書類名】明細書
【補正対象項目名】００１９
【補正方法】変更
【補正の内容】
【００１９】
請求項１２に係るこの発明の自動取引装置における操作画面表示方法は、通帳を挿入する通帳挿入口と、カードを挿入するカード挿入口と、現金が出金される出金口と、利用者に対して操作案内画面を表示する表示部とを有する自動取引装置における操作画面表示方法において、
前記表示部に表示される操作案内画面に従い、出金取引が選択された場合には、前記表示部に当該自動取引装置を表す画像を表示するとともに、当該自動取引装置を表す画像中のカード挿入口にカードが挿入される状態を表す画像を表示し、
利用者によりカードの挿入が行われ、出金額の指定が行われて出金取引が実行された際には、前記表示部に表示された当該自動取引装置の画像中のカード挿入口からカードが放出される状態を表す画像を表示し、
次いで、前記表示部に表示された当該自動取引装置の画像中の出金口から現金が出金される画像を表示することを特徴とする。


【手続補正９】
【補正対象書類名】明細書
【補正対象項目名】００２０
【補正方法】変更
【補正の内容】
【００２０】
請求項１３に係るこの発明の自動取引装置における操作画面表示方法は、キャッシュカード並びに振込券を挿入するカード挿入口と、現金を入金する入金口と、利用者に対して操作案内画面を表示する表示部とを有する自動取引装置における操作画面表示方法において、
前記表示部に表示される操作案内画面に従い、キャッシュカードを使用して振込取引を行うことが選択された場合には、前記表示部に当該自動取引装置を表す画像を表示するとともに、当該自動取引装置を表す画像中のカード挿入口にキャッシュカードが挿入される状態を表す画像を表示し、
一方、前記表示部に表示される操作案内画面に従い、振込券を使用して振込取引を行うことが選択された場合には、前記表示部に当該自動取引装置を表す画像を表示するとともに、当該自動取引装置を表す画像中のカード挿入口に振込券が挿入される状態を表す画像を表示し、更に、振込券の挿入が行われた後は、前記表示部に表示された当該自動取引装置を表す画像中の入金口に現金が挿入される状態を表す画像を表示することを特徴とする。


【手続補正１０】
【補正対象書類名】明細書
【補正対象項目名】００２１
【補正方法】変更
【補正の内容】
【００２１】
請求項１４に係るこの発明の自動取引装置における操作画面表示方法は、通帳を挿入する通帳挿入口と、この通帳挿入口に挿入された通帳に対して取引の内容を印字する印字部と、利用者に対して操作案内画面を表示する表示部とを有する自動取引装置における操作画面表示方法において、
前記表示部に表示される操作案内画面に従い、通帳記入取引が選択された場合には、前記表示部に当該自動取引装置を表す画像を表示するとともに、当該自動取引装置を表す画像中の通帳挿入口に通帳が挿入される状態を表す画像を表示し、
前記印字部による通帳記入処理終了後は、前記表示部に表示された当該自動取引装置の画像中の通帳挿入口から通帳が放出される状態を表す画像を表示することを特徴とする。